【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
サーバから品目を無線クライアント装置に配信する方法において、
前記サーバにより、メインカタログからの少なくとも１つの品目を、第１のクライアント装置と関連付けられた第１の加入者ＩＤ（ＳＩＤ）と関連付けることによって、少なくとも１つのグループを形成し、前記形成された少なくとも１つのグループを記憶装置に格納することと、
前記サーバにより、プラットフォームＩＤ、実行時ＡＰＩ、および言語のうちの少なくとも１つに基づいて、前記第１のクライアント装置に対するショッピングカタログを前記メインカタログから生成し、前記生成されたショッピングカタログを前記記憶装置に格納することと、
前記サーバにより、前記第１のクライアント装置と関連付けられた前記第１のＳＩＤに基づいて、前記格納された少なくとも１つのグループを前記格納されたショッピングカタログの少なくとも１つの品目に関連付けることと、
前記サーバにより、前記メインカタログ内の前記少なくとも１つの品目に対する主要価格構造体とは異なる特別価格構造体を、前記格納された少なくとも１つのグループの前記少なくとも１つの品目と関連付けることとを含み、
前記少なくとも１つのグループの第１のグループは、前記第１のＳＩＤに関連付けられ、
前記メインカタログからの少なくとも１つの品目を前記第１のＳＩＤおよび第２のＳＩＤに関連付けることによって、第２のグループを形成することをさらに含み、
前記第１のグループは、前記第１のグループを通してのみ表示され、前記メインカタログに含まれる少なくとも１つの品目を含み、前記第２のグループは、前記第２のグループを通してのみ表示され、前記メインカタログに含まれる少なくとも１つの品目を含む、方法。
【請求項２】
前記少なくとも１つのグループは第１のグループを含み、前記少なくとも１つの品目は第１の品目を含み、前記方法は、
前記メインカタログ内の前記第１の品目と関連付けられた前記主要価格構造体とは異なる第１の価格構造体を、前記第１のグループ内の前記第１の品目と関連付けることをさらに含む、請求項１に記載の方法。
【請求項３】
前記第１の価格構造体および前記主要価格構造体はそれぞれ、小売価格およびコンテンツ価格のうちの少なくとも１つを含む、請求項２に記載の方法。
【請求項４】
前記第１のグループ内の前記第１の品目の小売価格はゼロであり、前記メインカタログ内の前記第１の品目の小売価格はゼロを超える、請求項３に記載の方法。
【請求項５】
前記少なくとも１つのグループを含む前記ショッピングカタログを前記第１のクライアント装置に伝送することをさらに含む、請求項１に記載の方法。
【請求項６】
前記第１のグループを含む前記ショッピングカタログを、それぞれがサブフォルダおよび品目のうちの少なくとも１つを含むフォルダのリストとして編成することをさらに含む、請求項５に記載の方法。
【請求項７】
前記少なくとも１つの品目は、アプリケーションおよびコンテンツのうちの少なくとも１つを含む、請求項１に記載の方法。
【請求項８】
メインカタログからの少なくとも１つの品目を、第１のクライアント装置と関連付けられた第１の加入者ＩＤ（ＳＩＤ）と関連付けることによって、少なくとも１つのグループを形成し、前記形成された少なくとも１つのグループを記憶装置に格納する手段と、
プラットフォームＩＤ、実行時ＡＰＩ、および言語のうちの少なくとも１つに基づいて、前記第１のクライアント装置に対するショッピングカタログを前記メインカタログから生成し、前記形成されたショッピングカタログを前記記憶装置に格納する手段と、
前記第１のクライアント装置と関連付けられた前記第１のＳＩＤに基づいて、前記格納された少なくとも１つのグループを前記格納されたショッピングカタログの少なくとも１つの品目と関連付ける手段と、
前記メインカタログ内の前記少なくとも１つの品目の主要価格構造体とは異なる特別価格構造体を、前記格納された少なくとも１つのグループの少なくとも１つの品目と関連付ける手段と、
を含み、
前記少なくとも１つのグループは、前記第１のＳＩＤを含んで形成される第１のグループと、前記第１のＳＩＤおよび第２のＳＩＤを含んで形成される第２のグループとを含み、
前記第１のグループは、前記第１のグループを通してのみ表示され、前記メインカタログに含まれる少なくとも１つの品目を含み、前記第２のグループは、前記第２のグループを通してのみ表示され、前記メインカタログに含まれる少なくとも１つの品目を含む、サーバ。
【請求項９】
前記少なくとも１つの品目は第１の品目を含み、前記サーバは、
前記メインカタログ内の前記第１の品目と関連付けられた前記主要価格構造体とは異なる第１の価格構造体を、前記第１のグループ内の前記第１の品目と関連付ける手段をさらに含む、請求項８に記載のサーバ。
【請求項１０】
前記第１の価格構造体および前記主要価格構造体はそれぞれ、小売価格およびプロバイダ価格のうちの少なくとも１つを含む、請求項９に記載のサーバ。
【請求項１１】
前記第１のグループ内の前記第１の品目の小売価格はゼロであり、前記メインカタログ内の前記第１の品目の小売価格はゼロを超える、請求項１０に記載のサーバ。
【請求項１２】
前記少なくとも１つの品目は、アプリケーションおよびコンテンツのうちの少なくとも１つを含む、請求項８に記載のサーバ。
【請求項１３】
品目を無線クライアント装置に配信するための機器であって、
メインカタログからの少なくとも１つの品目を第１の加入者ＩＤ（ＳＩＤ）と関連付けることによって、少なくとも１つのグループを形成し、前記形成された少なくとも１つのグループを記憶装置に格納する手段と、
プラットフォームＩＤ、実行時ＡＰＩ、および言語のうちの少なくとも１つに基づいて、第１のクライアント装置に対するショッピングカタログを前記メインカタログから生成し、前記生成されたショッピングカタログを前記記憶装置に格納する手段と、
前記第１のクライアント装置と関連付けられた第１のＳＩＤに基づいて、前記格納された少なくとも１つのグループを前記格納されたショッピングカタログの少なくとも１つの品目に関連付ける手段と、
前記メインカタログ内の前記少なくとも１つの品目に対する主要価格構造体とは異なる特別価格構造体を、前記格納された少なくとも１つのグループの前記少なくとも１つの品目と関連付けるための手段とを含み、
前記少なくとも１つのグループの第１のグループは、前記第１のＳＩＤと関連付けられ、第２のグループが、前記メインカタログからの前記少なくとも１つの品目を、第２のクライアント装置と関連付けられた前記第１のＳＩＤおよび第２のＳＩＤと関連付けることによって形成され、
前記第１のグループは、前記第１のグループを通してのみ表示され、前記メインカタログに含まれる少なくとも１つの品目を含み、前記第２のグループは、前記第２のグループを通してのみ表示され、前記メインカタログに含まれる少なくとも１つの品目を含む、機器。
【請求項１４】
前記少なくとも１つのグループは第１のグループを含み、前記少なくとも１つの品目は第１の品目を含み、
前記メインカタログ内の前記第１の品目と関連付けられた前記主要価格構造体とは異なる第１の価格構造体を、前記第１のグループ内の前記第１の品目と関連付けることをさらに含む、請求項１３に記載の機器。
【請求項１５】
前記第１の価格構造体および前記主要価格構造体はそれぞれ、リスト価格およびプロバイダ価格のうちの少なくとも１つを含む、請求項１４に記載の機器。
【請求項１６】
前記第１のグループ内の前記第１の品目の小売価格はゼロであり、前記メインカタログ内の前記第１の品目の小売価格はゼロを超える、請求項１５に記載の機器。
【請求項１７】
前記少なくとも１つのグループは第１のグループを含み、前記機器は、
前記第１のグループを含む前記ショッピングカタログを前記第１のクライアント装置に伝送するための手段をさらに含む、請求項１３に記載の機器。
【請求項１８】
前記第１のグループを含む前記ショッピングカタログを、それぞれがサブフォルダおよび前記第１の品目のうちの少なくとも１つを含むフォルダのリストとして編成するための手段をさらに含む、請求項１７に記載の機器。
【請求項１９】
コンピューティング装置によって実行されると、該コンピューティング装置が動作を実施することになる命令を含むコンピュータ可読媒体であって、前記命令は、
メインカタログからの少なくとも１つの品目を、前記第１のクライアント装置と関連付けられた第１の加入者ＩＤ（ＳＩＤ）と関連付けることによって、少なくとも１つのグループを形成し、前記形成された少なくとも１つのグループを記憶装置に格納するための少なくとも１つの命令と、
プラットフォームＩＤ、実行時ＡＰＩ、および言語のうちの少なくとも１つに基づいて、前記第１のクライアント装置に対するショッピングカタログを前記メインカタログから生成し、前記生成されたショッピングカタログを前記記憶装置に格納するための少なくとも１つの命令と、
前記第１のクライアント装置と関連付けられた前記第１のＳＩＤに基づいて、前記格納された少なくとも１つのグループを前記格納されたショッピングカタログの少なくとも１つの品目に関連付けるための少なくとも１つの命令と、
前記メインカタログ内の前記少なくとも１つの品目に対する主要価格構造体とは異なる特別価格構造体を、前記格納された少なくとも１つのグループの前記少なくとも１つの品目と関連付けるための少なくとも１つの命令とを含み、
前記少なくとも１つのグループの第１のグループは前記第１のＳＩＤに関連付けれられ、
前記命令は、さらに、前記メインカタログからの前記少なくとも１つの品目を、第２のクライアント装置と関連付けられた前記第１のＳＩＤおよび第２のＳＩＤと関連付けることによって、第２のグループを形成するための少なくとも１つの命令をさらに含み、
前記第１のグループは、前記第１のグループを通してのみ表示され、前記メインカタログに含まれる少なくとも１つの品目を含み、前記第２のグループは、前記第２のグループを通してのみ表示され、前記メインカタログに含まれる少なくとも１つの品目を含む、
コンピュータ可読媒体。
【請求項２０】
前記少なくとも１つの品目は第１の品目を含み、前記命令は、
前記メインカタログ内の前記第１の品目と関連付けられた前記主要価格構造体とは異なる第１の価格構造体を、前記第１のグループ内の前記第１の品目と関連付けるための少なくとも１つの命令をさらに含む、請求項１９に記載のコンピュータ可読媒体。